(57)【特許請求の範囲】
【請求項１】
表示器を覆うカバー体の内外が通気状態になっていると共に、そのカバー体に備えた窓部を通して外部から前記表示器を視認可能なガスメータにおいて、
前記カバー体には、内部の水を外部に排出する水抜孔が備えられ、
前記窓部は、１対の板状透光部材を隙間を空けて対向させた二重窓構造をなし、
前記１対の板状透光部材のうち内側の前記板状透光部材における前記表示器との対向領域は、前記隙間側では段付き状に突出し、前記隙間と反対側では前記対向領域の外側と面一になっていることを特徴とするガスメータ。
【請求項２】
前記１対の板状透光部材のうち外側の前記板状透光部材における前記表示器との対向領域は、前記隙間側では段付き状に突出し、前記隙間と反対側では前記対向領域の外側と面一になっていることを特徴とする請求項１に記載のガスメータ。
【請求項３】
前記１対の板状透光部材のうち内側の前記板状透光部材の一部を文字盤に兼用したことを特徴とする請求項１又は２に記載のガスメータ。
【発明の詳細な説明】
【技術分野】
【０００１】
本発明は、窓部を有したカバー体で表示器を覆ったガスメータに関する。
【背景技術】
【０００２】
この種の従来のガスメータとしては、カバー体の一部に窓部としての透光部材を備えたものが知られている（例えば、特許文献１）。
【先行技術文献】
【特許文献】
【０００３】
【特許文献１】特開２０１１−２２３５号公報（第１図）
【発明の概要】
【発明が解決しようとする課題】
【０００４】
ところが、上述した従来のガスメータでは、透光部材の内面に結露が発生して表示器の視認性が悪くなるという問題があった。
【０００５】
本発明は、上記事情に鑑みてなされたものであり、結露の発生を抑えて表示器の視認性を維持することが可能なガスメータの提供を目的とする。
【課題を解決するための手段】
【０００６】
上記目的を達成するためになされた請求項１の発明に係るガスメータは、表示器を覆うカバー体の内外が通気状態になっていると共に、そのカバー体に備えた窓部を通して外部から表示器を視認可能なガスメータにおいて、カバー体には、内部の水を外部に排出する水抜孔が備えられ、窓部は、１対の板状透光部材を隙間を空けて対向させた二重窓構造をなし、１対の板状透光部材のうち内側の板状透光部材における表示器との対向領域は、隙間側では段付き状に突出し、隙間と反対側では対向領域の外側と面一になっているところに特徴を有する。
【０００８】
請求項２の発明は、請求項１に記載のガスメータにおいて、１対の板状透光部材のうち外側の板状透光部材における表示器との対向領域は、隙間側では段付き状に突出し、隙間と反対側では対向領域の外側と面一になっているところに特徴を有する。
【０００９】
請求項３の発明は、請求項１又は２に記載のガスメータにおいて、１対の板状透光部材のうち内側の板状透光部材の一部を文字盤に兼用したところに特徴を有する。
【発明の効果】
【００１１】
［請求項１の発明］
請求項１のガスメータの構成によれば、窓部は、１対の板状透光部材を隙間を空けて対向させかつ表示器の前側に配置した二重窓構造となっており、１対の板状透光部材の間の隙間が断熱効果を発揮するので、１対の板状透光部材のうち、内側の板状透光部材の内面における結露の発生を抑えることができる。即ち、本発明によれば、結露の発生を抑えて表示器の視認性を維持することが可能になる。また、本発明によれば、カバー体の内部で結露が発生した場合でも結露水は自然に排出される。
【００１２】
また、本発明のガスメータでは、内側の板状透光部材における表示器との対向領域は、隙間側では段付き状に突出し、隙間と反対側では、対向領域の外側と面一になっていて、板厚が、その対向領域の外側の板厚よりも厚くなっている。これにより、対向領域の外側は、対向領域に比べて熱が伝わり易くなる。即ち、板状透光部材における対向領域の外側を、対向領域に比べて結露が発生し易い構成にしておくことで、対向領域における結露の発生を抑えることができる。
【００１３】
［請求項２の発明］
請求項２のガスメータによれば、外側の板状透光部材における表示器との対向領域は、隙間側では段付き状に突出し、隙間と反対側では、対向領域の外側と面一になっていて、板厚が、その対向領域の外側の板厚よりも厚くなっている。これにより、対向領域の外側は、対向領域に比べて熱が伝わり易くなる。即ち、板状透光部材における対向領域の外側を対向領域に比べて結露が発生し易い構成にしておくことで、対向領域における結露の発生を抑えることができる。
【００１４】
［請求項３の発明］
請求項３のガスメータによれば、内側の板状透光部材の一部が文字盤に兼用されるから、文字盤を備えている従来のガスメータから部品点数を増やすことなく、結露の発生を抑えることができる。
【図面の簡単な説明】
【００１６】
【図１】本発明の一実施形態に係るガスメータの側断面図
【図２】ガスメータの上端部における側断面図
【図３】ガスメータの正断面図
【図４】ガスメータの平断面図
【図５】機器カバーの斜視図
【図６】機器カバーの正面図
【図７】本体カバーのカバー筐体及び端子カバーの正面図
【図８】機器カバーの側断面図
【図９】機器カバーの正面図
【図１０】外側透光板及び内側透光板の斜視図
【発明を実施するための形態】
【００１７】
以下、本発明の一実施形態を図１〜図１０に基づいて説明する。本実施形態のガスメータ１０は、例えば、家庭用プロパンガスの使用量を計測するための膜式ガスメータであって、図１に示すように、金属製のメータボディ１１の外側に、樹脂製の機器カバー５０（本発明の「カバー体」に相当する）を組み付けて備えている。
【００１８】
メータボディ１１は、計量ハウジング１２の上面に上部ハウジング１３を固定して備えている。計量ハウジング１２の内側の計量室１２Ｒには、ダイヤフラムを主要部とした計量ユニット１４が収容されている。
【００１９】
上部ハウジング１３の内側には、リンク機構等で構成された伝達機構１５が収容されている。伝達機構１５は、ダイヤフラムの往復運動を回転運動に変換してカウンタ表示器３０（本発明の「表示器」に相当する）に伝達する。
【００２０】
図４に示すように、カウンタ表示器３０は、複数（例えば、８桁分）の数字車を同軸上に横並びに備えた機械式の表示器であって、メータボディ１１の外面のうち上部ハウジング１３の前面壁１３Ｗに固定されている（図１参照）。各数字車は互いにギヤ連結されており、最小桁（右端）の数字車には、伝達機構１５の末端部に備えた出力軸１５Ｓ（図１参照）がギヤ連結されている。なお、出力軸１５Ｓは、上部ハウジング１３の前面壁１３Ｗを気密状態で貫通している。
【００２１】
図３に示すように、上部ハウジング１３の上面の左右両端位置からは、ガス入口管１６とガス出口管１７とが上方に向かって突出している。これらガス入口管１６及びガス出口管１７の内側の流路は、上部ハウジング１３の内部に設けた１対の内部管状壁１６Ｐ，１７Ｐ（図４参照）の内側を通って、計量室１２Ｒ内に連通している。これにより、ガス入口管１６に流れ込んだガスは、上部ハウジング１３内に漏れることなく計量室１２Ｒへと全て流れ込んだ後、計量室１２Ｒからガス出口管１７を通ってガスメータ１０の外部へと流出する。その際、計量室１２Ｒを通過するガスの流量に応じて計量ユニット１４（ダイヤフラム）及び伝達機構１５が作動して、カウンタ表示器３０にガスの流量（積算流量）が表示される。なお、本実施形態では、出力軸１５Ｓの先端に円盤形のマグネットホルダ１８が備えられ、そのマグネットホルダ１８に固定された複数の磁石１８Ｍ，１８Ｍとリードスイッチ２４とが磁気的に連結している。そして、リードスイッチ２４が出力する信号を図示しない制御回路で処理することが可能となっている。
【００２２】
ガス入口管１６に対応した内部管状壁１６Ｐには、遮断弁１９が取り付けられており、遮断弁１９によってガス入口管１６の流路が開閉されるようになっている。また、ガス入口管１６に対応した内部管状壁１６Ｐには、大気圧を基準にしてガス圧を検出する圧力センサ２０が備えられており、その圧力センサ２０により、ガス圧の異常を検出可能となっている。
【００２３】
メータボディ１１の外面のうち計量ハウジング１２の前面壁１２Ｗには、樹脂製のブラケット２１が固定されている。ブラケット２１は、扁平筺形をなし、扁平方向の一面が開放している。そして、その開放口を計量ハウジング１２の前面壁１２Ｗに宛がって、前面壁１２Ｗのほぼ全体を覆った状態で計量ハウジング１２に螺子止めされている。
【００２４】
ブラケット２１の前面には回路基板２２が固定されている。回路基板２２は、その板厚方向が前後方向を向くように配置され、その前面に、液晶ディスプレイ２３（本発明の「表示器」に相当する）を含む複数の部品が実装されている。液晶ディスプレイ２３は、回路基板２２の上端寄り位置に、回路基板２２の前面から浮かした状態で固定されている。液晶ディスプレイ２３には、ガス漏れやガス圧異常等の保安情報が記号（例えば、円で囲まれたアルファベット「Ａ」、「Ｂ」、「Ｃ」）で表示される。また、液晶ディスプレイ２３の周りには、コネクタ、震感器（以上、図示せず）、リードスイッチ２４、ＬＥＤ２５、バッテリー２６、復帰ボタン２７等が配置され、回路基板２２の下端寄り位置には端子台２８が配置されている。また、回路基板２２のコネクタと遮断弁１９及び圧力センサ２０との間がハーネス２９（図２参照）によって接続されている。
【００２５】
さて、メータボディ１１の前面には、上記したカウンタ表示器３０と回路基板２２の前面及び周囲を覆うように、機器カバー５０が取り付けられている。
【００２６】
図５に示すように、機器カバー５０は縦長の筺形状をなしている。また、機器カバー５０は、ガスメータ１０の前後方向で扁平となっており、その扁平方向の一面が開放している。
【００２７】
機器カバー５０の開口端にはインロー部５３が形成されており、そのインロー部５３がメータボディ１１の前面側外縁部の外側に嵌合している（図１参照）。そして、インロー部５３を貫通した複数の固定ネジ（図示せず）によって、機器カバー５０がメータボディ１１の前面に着脱可能に固定されている。図７に示すように、機器カバー５０の開口端面には環状のシール部材５４（例えば、スポンジパッキン）が装着されており、そのシール部材５４によって機器カバー５０との合体面がシールされている（図１参照）。これにより、機器カバー５０とメータボディ１１との合体面からの雨水の浸入を防止することができる。
【００２８】
図５及び図６に示すように、機器カバー５０のうち、メータボディ１１の前面と対向したカバー主板壁５１には、上下に２つの窓部５５，５６（以下、「第１の窓部５５」及び「第２の窓部５６」という）が設けられている。第１の窓部５５は、カバー主板壁５１の上端部に設けられており、第２の窓部５６は、カバー主板壁５１の上下方向の中央部に設けられている。第１及び第２の窓部５５，５６は、共に上下方向に対して左右方向が長い横長形状となっている。そして、第１の窓部５５は、カウンタ表示器３０の前側に対向配置されており、第２の窓部５６は液晶ディスプレイ２３の前側に対向配置されている（図１参照）。即ち、第１の窓部５５を通して、機器カバー５０の内部に配置されたカウンタ表示器３０を外部から視認可能となっている。また、第２の窓部５６を通して、機器カバー５０の内部に配置された液晶ディスプレイ２３を外部から視認可能となっている。
【００２９】
機器カバー５０のうち、第２の窓部５６の左下角部には、回路基板２２に備えた復帰ボタン２７に対向させて、円形ドーム形のボタン押圧部材５７が取り付けられている。ボタン押圧部材５７はゴムで構成されており、その中心部分からは、図示しない押圧軸部が突出形成されている。押圧軸部は機器カバー５０のカバー主板壁５１を貫通してその先端部が、復帰ボタン２７に突き合わされている。
【００３０】
機器カバー５０のうち、回路基板２２等を包囲したカバー囲壁５２には、水抜孔５８が形成されている。水抜孔５８はスリット状をなしており、図１に示すように、カバー囲壁５２の下端部を上下方向に貫通している。万が一、機器カバー５０の内部に水が浸入したり、機器カバー５０の内部で結露が発生した場合でも、それらの水は、水抜孔５８から自然に排出されるようになっている。また、水抜孔５８は、カバー囲壁５２の下端部に設けられているから、水抜孔５８からの雨水の侵入を防止することができ、スリット状をなしているから、水抜孔５８からの虫の侵入を防止することができる。
【００３１】
機器カバー５０は、メータボディ１１の前面に取り付けられた各種機器のうち、端子台２８を覆った端子台カバー６１と、端子台２８以外の機器を覆った表示器カバー６０とに分解可能となっている（図９参照）。表示器カバー６０は、上記した第１及び第２の窓部５５，５６を備えており、第２の窓部５６より下側に、横長の端子露出口６２を備えている。この端子露出口６２から端子台２８が露出するようになっている。
【００３２】
端子台カバー６１は、表示器カバー６０に対して上下方向にスライドさせることで着脱可能となっている。また、表示器カバー６０の下端部と端子台カバー６１の下端部には、それぞれネジ孔６０Ｎ，６１Ｎ（図９参照）が形成されており、それらネジ孔６０Ｎ，６１Ｎに螺合した固定ネジ６３によって、端子台カバー６１が表示器カバー６０に固定されている。この合体状態において、端子台カバー６１の外面と表示器カバー６０の外面は面一となる。
【００３３】
表示器カバー６０のうち端子台カバー６１で覆われた外面と端子台カバー６１の内面には、それぞれ係合突条６０Ｋ，６１Ｋが形成されており、表示器カバー６０と端子台カバー６１とが合体した状態で、それら係合突条６０Ｋ，６１Ｋ同士がカバー主板壁５１の板厚方向で係合するようになっている（図１参照）。
【００３４】
表示器カバー６０に備えた係合突条６０Ｋは、図９に示すように、端子露出口６２を上方及び側方から囲んだ門形をなしており、その内側面には係合溝６０Ｍが形成されると共に、係合溝６０Ｍを形成することで相対的に内側に突出した係合爪６０Ｔとが形成されている（図５及び図８参照）。
【００３５】
一方、端子台カバー６１に備えた係合突条６１Ｋも、表示器カバー６０に備えた係合突条６０Ｋと同様な門形をなしており、その外側面には係合溝６１Ｍが形成されると共に、係合溝６１Ｍを形成することで相対的に外側に突出した係合爪６１Ｔとが形成されている（図１参照）。
【００３６】
そして、図１に示すように、表示器カバー６０と端子台カバー６１とが合体した状態では、各係合突条６０Ｋ，６１Ｋの係合溝６０Ｍ，６１Ｍと係合爪６０Ｔ，６１Ｔとが互いに凹凸係合する。また、係合突条６０Ｋ，６１Ｋのうち、端子露出口６２の左右両側で上下方向に延びた部分が、表示器カバー６０に対する端子台カバー６１の上下方向へのスライドをガイドする。
【００３７】
さて、第１及び第２の窓部５５，５６を備えた表示器カバー６０は、図９に示した非透光性のカバー筐体６４と、図１０に示した１対の透光板７０，８０（本発明の「１対の板状透光部材」に相当する）とから構成されている。即ち、カバー筐体６４には、第１の窓部５５を構成する横長の第１の表示窓枠６５と、第２の窓部５６を構成する横長の第２の表示窓枠６６とが貫通形成されている。そして、第１及び第２の表示窓枠６５，６６が、カバー主板壁５１の板厚方向で対向配置された１対の透光板７０，８０によって内外両面側から塞がれている（図８参照）。
【００３８】
１対の透光板７０，８０は、共に無色透明な樹脂（例えば、アクリル樹脂）で構成され、その板厚は、例えば、１〜４［ｍｍ］となっている。以下、カバー筐体６４の外面に宛がわれた透光板７０を、「外側透光板７０」といい、カバー筐体６４の内面に宛がわれた透光板８０を「内側透光板８０」という。
【００３９】
図１０に示すように、外側透光板７０は、第１の表示窓枠６５に対向した第１の横長板部７１と、第２の表示窓枠６６に対向した第２の横長板部７２と、これら第１と第２の横長板部７１，７２を、その長手方向の両端部と中間部とで連結した３つの梁部７３，７３，７３とから構成されている。
【００４０】
第１の横長板部７１は第１の表示窓枠６５を一回り大きくした長方形をなしている。また、第２の横長板部７２は、第２の表示窓枠６６を一回り大きくして左下角部をボタン押圧部材５７側に張り出させた形状をなしている。第２の横長板部７２の左下角部には、ボタン押圧部材５７を前面側に露出させるための操作用貫通孔７４が貫通形成されている。なお、操作用貫通孔７４はボタン押圧部材５７の外径より小径となっており、その内周縁でボタン押圧部材５７を抜け止めしている。
【００４１】
カバー筐体６４の外面には、外側透光板７０と同一形状の嵌込凹部６８が陥没形成されており、その嵌込凹部６８に、外側透光板７０が嵌め込まれている。第１及び第２の表示窓枠６５，６６と、ボタン押圧部材５７の押圧軸部を支持した軸支持孔６７とが嵌込凹部６８に貫通形成されており、嵌込凹部６８の深さは、ここに嵌め込まれる外側透光板７０の板厚とほぼ同じとなっている。そして、外側透光板７０は、嵌込凹部６８のうち、第１及び第２の表示窓枠６５，６６の外周縁に沿って周回した環状の段差面と、軸支持孔６７の周囲の段差面とに宛がわれて、例えば、レーザー溶着によって固定されている。これにより、第１及び第２の表示窓枠６５，６６と軸支持孔６７からの水の侵入を防止することができる。
【００４２】
内側透光板８０は、その外縁部が第１及び第２の表示窓枠６５，６６の外縁部に沿った形状をなしている。詳細には、図７に示すように、内側透光板８０の上辺は第１の表示窓枠６５の上辺に沿って延びており、内側透光板８０の下辺は第２の表示窓枠６６の下辺に沿って延びており、内側透光板８０の左右の両側辺は、第１及び第２の表示窓枠６５，６６の左右の両側辺に沿って延びている。内側透光板８０の上辺側部分８１は、第１の表示窓枠６５と対向しており、内側透光板８０の下辺側部分８２は、第２の表示窓枠６６と対向している。また、内側透光板８０の上下方向の中間部分は、カバー筐体６４のうち、第１の表示窓枠６５と第２の表示窓枠６６との間で左右方向に延びた中間壁部６４Ｗの内面に宛がわれている（図７参照）。
【００４３】
図７に示すように、カバー筐体６４の内面には、内側透光板８０の輪郭に沿った嵌合囲壁６９が形成されている。嵌合囲壁６９は、第１及び第２の表示窓枠６５，６６を囲うように形成されており、その嵌合囲壁６９の内側に内側透光板８０が嵌め込まれている。そして、内側透光板８０は、嵌合囲壁６９の内側で第１及び第２の表示窓枠６５，６６に沿って周回した環状の段差面に宛がわれて、例えば、熱かしめによって固定されている。
【００４４】
詳細には、内側透光板８０の外縁部の複数箇所に予め凹部８３，８３が陥没形成されており、嵌合囲壁６９の一部を熱変形させることでそれら凹部８３，８３と嵌合囲壁６９とを係止させてある。また、カバー筐体６４における中間壁部６４Ｗの内面から起立したかしめピン６４Ｐが、内側透光板８０に形成されたピン孔（図示せず）を貫通しており、かしめピン６４Ｐの先端を熱変形させてピン孔の周縁部と係止させてある。
【００４５】
ここで、内側透光板８０の内面のうち、前記した伝達機構１５の出力軸１５Ｓに備えたマグネットホルダ１８（図１参照）と対向する位置には、磁性体金属板３９が宛がわれており、内側透光板８０と共に、かしめピン６４Ｐの熱かしめによって固定されている。
【００４６】
以上のように、カバー筐体６４の外面及び内面に宛がって固定された外側透光板７０と内側透光板８０とによって、機器カバー５０のカバー主板壁５１の一部が構成されている。また、カバー主板壁５１に設けられた第１の窓部５５は、カウンタ表示器３０との対向方向で隙間を空けて対向した外側透光板７０（第１の横長板部７１）と内側透光板８０とで構成されると共に、それら外側透光板７０と内側透光板８０との間には、周囲が第１の表示窓枠６５の内周面によって囲まれた中空層Ｓ１が形成されている。同様に、カバー主板壁５１に設けられた第２の窓部５６は、液晶ディスプレイ２３との対向方向で隙間を空けて対向した外側透光板７０（第２の横長板部７２）と内側透光板８０とで構成されると共に、それら外側透光板７０と内側透光板８０との間には、周囲が第２の表示窓枠６６の内周面によって囲まれた中空層Ｓ２が形成されている。
【００４７】
ここで、中空層Ｓ１，Ｓ２には空気が入っており、本実施形態における中空層Ｓ１，Ｓ２の厚さは、例えば、１〜４［ｍｍ］程度となっている。このように中空層Ｓ１，Ｓ２を比較的薄くしておくことで、中空層Ｓ１，Ｓ２が気密状態になっていなくても、空気の粘性により中空層Ｓ１，Ｓ２では空気の対流が起き難くなっている。そして、対流が起き難いことで、中空層Ｓ１，Ｓ２が断熱効果を発揮する。なお、中空層Ｓ１と中空層Ｓ２との間は、連通させてもよいし遮断してもよい。
【００４８】
図６に示すように、外側透光板７０のうち、カウンタ表示器３０と対向した第１の対向領域７１Ｘにおける板厚と、液晶ディスプレイ２３と対向した第２の対向領域７２Ｘにおける板厚は、それら第１及び第２の対向領域７１Ｘ，７２Ｘの外側の板厚に比べて厚くなっている。本実施形態では、図８に示すように、外側透光板７０の内面（中空層Ｓ１，Ｓ２側の面）を０．５〜２［ｍｍ］程度、段差状に突出させることで、第１及び第２の対向領域７１Ｘ，７２Ｘの板厚を厚くしてある。
【００４９】
また、図７に示すように、内側透光板８０のうち、カウンタ表示器３０と対向した第１の対向領域８１Ｘの板厚と、液晶ディスプレイ２３と対向した第２の対向領域８２Ｘの板厚は、それら第１と第２の対向領域８１Ｘ，８２Ｘの外側の板厚に比べて厚くなっている。本実施形態では、図８に示すように、内側透光板８０の外面（中空層Ｓ１，Ｓ２側の面）を０．５〜２［ｍｍ］程度、段差状に突出させることで、第１と第２の対向領域８１Ｘ，８２Ｘの板厚を厚くしてある。
【００５０】
さらに、本実施形態では、外側透光板７０における第１と第２の対向領域７１Ｘ，７２Ｘと、内側透光板８０における第１と第２の対向領域８１Ｘ，８２Ｘを、それぞれ中空層Ｓ１，Ｓ２の側に突出させているが、その向かい合った第１の対向領域７１Ｘ，８１Ｘ同士及び、第２の対向領域７２Ｘ，８２Ｘ同士の間にも中空層Ｓ１，Ｓ２が存在するように構成されている。
【００５１】
図６及び図１０に示すように、内側透光板８０の上辺側部分８１のうち第１の対向領域８１Ｘの外側及び、下辺側部分８２のうち第２の対向領域８２Ｘの外側は、それぞれ印字部８１Ｙ，８２Ｙとなっている。
【００５２】
例えば、第１の印字部８１Ｙには、「型式」、「製造番号」、「型式承認番号」及びカウンタ表示器３０で表示される数値の「単位」等が、白下地の上に黒字で印刷されており、第１の窓部５５を構成する外側透光板７０及び第１の表示窓枠６５を通して、これらを視認することが可能となっている。
【００５３】
また、第２の印字部８２Ｙには、液晶ディスプレイ２３にて表示される「保安情報の記号の意味」、「製造メーカー名」、その他、使用上の便宜のための案内情報が、黒下地の上に白字で印刷されており、第２の窓部５６を構成する外側透光板７０及び第２の表示窓枠６６を通して、これらを視認することが可能となっている。
【００５４】
つまり、内側透光板８０は、カウンタ表示器３０及び液晶ディスプレイ２３を視認可能に覆っているだけではなく、その一部が「文字盤」に兼用されている。本実施形態では、上記した「型式」等が、例えば、内側透光板８０の内面（カウンタ表示器３０及び液晶ディスプレイ２３側を向いた面）に印刷されている。
【００５５】
以上が本実施形態のガスメータ１０の構成である。以下、本実施形態の作用を説明する。ガスメータ１０は、通常、屋外に設置されるため、機器カバー５０内の温度は、外気温によって変動する。また、機器カバー５０の内側に収容された圧力センサ２０は、大気圧を基準にしてガス圧を検出するため、機器カバー５０の内外を通気状態にしておく必要があり、機器カバー５０の内部には湿った外気が侵入可能となっている。そして、例えば、機器カバー５０の内部の湿った空気が、外気温の低下や雨水等で冷やされた機器カバー５０の内面に触れると結露が発生し得る。
【００５６】
これに対し、本実施形態のガスメータ１０では、機器カバー５０に設けられた第１の窓部５５及び第２の窓部５６が二重窓構造をなしている。即ち、外側透光板７０と内側透光板８０とが、カウンタ表示器３０及び液晶ディスプレイ２３の前側に隙間を空けて対向配置されており、外側透光板７０と内側透光板８０との間に形成された中空層Ｓ１，Ｓ２が断熱効果を発揮する。これにより、機器カバー５０における第１及び第２の窓部５５，５６の内面、つまり、内側透光板８０の内面における結露の発生を抑えることができ、カウンタ表示器３０及び液晶ディスプレイ２３の視認性を維持することができる。そして、ガスメータ１０の検針や異常発生時の対処に支障を来すことを防ぐことができる。
【００５７】
また、内側透光板８０のうちカウンタ表示器３０及び液晶ディスプレイ２３との対向領域８１Ｘ，８２Ｘの板厚を、それら対向領域８１Ｘ，８２Ｘの外側の板厚よりも厚くしたことで、対向領域８１Ｘ，８２Ｘの外側は、対向領域８１Ｘ，８２Ｘに比べて熱が伝わり易くなる。即ち、内側透光板８０の内面のうち、カウンタ表示器３０及び液晶ディスプレイ２３との対向領域８１Ｘ，８２Ｘの外側を、対向領域８１Ｘ，８２Ｘに比べて結露が発生し易い（対向領域８１Ｘ，８２Ｘより先に結露が発生する）構成にしておくことで、対向領域８１Ｘ，８２Ｘの内面における結露の発生を抑えることができる。
【００５８】
また、外側透光板７０のうちカウンタ表示器３０及び液晶ディスプレイ２３との対向領域７１Ｘ，７２Ｘの板厚を、それら対向領域７１Ｘ，７２Ｘの外側の領域の板厚よりも厚くしたことで、対向領域７１Ｘ，７２Ｘの外側は、対向領域７１Ｘ，７２Ｘに比べて熱が伝わり易くなる。即ち、外側透光板７０の内面のうち、カウンタ表示器３０及び液晶ディスプレイ２３との対向領域７１Ｘ，７２Ｘの外側を、対向領域７１Ｘ，７２Ｘに比べて結露が発生し易い（対向領域７１Ｘ，７２Ｘより先に結露が発生する）構成にしておくことで、対向領域７１Ｘ，７２Ｘの内面における結露の発生を抑えることができる。
【００５９】
つまり、外側透光板７０及び内側透光板８０のなかでも、特に、カウンタ表示器３０及び液晶ディスプレイ２３との対向領域７１Ｘ，８１Ｘ，７２Ｘ，８２Ｘにおける結露を抑えることができ、カウンタ表示器３０及び液晶ディスプレイ２３の視認性をより確実に維持することができる。
【００６０】
そして、内側透光板８０の一部が文字盤を兼ねているから、文字盤を備えている従来のガスメータから部品点数を増やすことなく、結露の発生を抑えることができる。
【００６１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６２】
（１）上記実施形態では、外側透光板７０における第１及び第２の対向領域７１Ｘ，７２Ｘの板厚と、内側透光板８０における第１及び第２の対向領域８１Ｘ，８２Ｘの板厚とを両方とも厚肉にしていたが、外側透光板７０又は内側透光板８０の何れか一方における第１及び第２の対向領域のみを厚肉にしてもよい。
【００６４】
（２）上記実施形態における外側透光板７０及び内側透光板８０の板厚や、中空層Ｓ１，Ｓ２の厚さの寸法は、特に限定するものではなく、例えば、外側透光板７０及び内側透光板８０の材質等に応じて適宜決定すればよい。
【００６５】
（３）上記実施形態では、本発明に係る「ガスメータ」の一例として、膜式ガスメータを例示したが、ガスメータの計測原理は特に限定するものではなく、例えば、「超音波式」、「タービン式」、「ルーツ式」、「熱線式」、「フルイディック式」及びその他公知な計測原理の各ガスメータに、本発明を適用してもよい
【００６６】
（４）上記実施形態では、内側透光板８０の内面（中空層Ｓ１，Ｓ２とは反対側の面）に印字部８１Ｙ，８２Ｙを設けた構成であったが、内側透光板８０の外面（中空層Ｓ１，Ｓ２側の面）又は、外側透光板７０の内面（中空層Ｓ１，Ｓ２側の面）に印字部を設けてもよい。また、印字部は、内側透光板８０への印刷によって構成されていたが、上記した「型式」等を印刷したシールを内側透光板８０又は外側透光板７０に貼り付けてもよい。
【００６７】
（５）上記実施形態では、本発明に係る「表示器」としてカウンタ表示器３０と液晶ディスプレイ２３とを備えていたが、これらの何れか一方のみを備えた構成でもよい。
【００６８】
（６）上記実施形態では、カウンタ表示器３０と液晶ディスプレイ２３とを共通の機器カバー５０によって覆っていたが、カウンタ表示器３０と液晶ディスプレイ２３を、それぞれ別々のカバー体で覆って、各カバー体に設けた窓部に本発明を適用してもよい。
【００６９】
（７）上記実施形態では、カウンタ表示器３０を視認可能とした第１の窓部５５と、液晶ディスプレイ２３を視認可能とした第２の窓部５６とを互いに独立して設けていたが、カウンタ表示器３０と液晶ディスプレイ２３との両方を共通の窓部から視認可能としてもよい。
【００７０】
（８）上記実施形態では、中空層Ｓ１，Ｓ２に空気が入っていたが、結露が発生し易い環境で使用する場合には、水蒸気を除いた乾燥空気を中空層Ｓ１，Ｓ２に封入してもよいし、中空層Ｓ１，Ｓ２を真空状態にしてもよい。
【符号の説明】
【００７１】
１０    ガスメータ
２３    液晶ディスプレイ（表示器）
３０    カウンタ表示器（表示器）
５０    機器カバー（カバー体）
５５    第１の窓部（窓部）
５６    第２の窓部（窓部）
５８    水抜孔
７０    外側透光板（外側の板状透光部材）
７１Ｘ，７２Ｘ    対向領域
８０    内側透光板（内側の板状透光部材）
８１Ｘ，８２Ｘ    対向領域
Ｓ１，Ｓ２    中空層（隙間）
【図１】
0005913843.tif 000002
【図２】
0005913843.tif 000003
【図３】
0005913843.tif 000004
【図４】
0005913843.tif 000005
【図５】
0005913843.tif 000006
【図６】
0005913843.tif 000007
【図７】
0005913843.tif 000008
【図８】
0005913843.tif 000009
【図９】
0005913843.tif 000010
【図１０】
0005913843.tif 000011